(57)【要約】  第１認識部（１０１）は、管理サーバ（２００）において電子決済可能な商品に対応付けられた第１コードを撮影して認識する。決済部（１０２）は、第１コードが認識されると、管理サーバ（２００）にアクセスし、商品の電子決済の手続を行う。表示部（１０３）は、電子決済のレシートを画面に表示する。第２認識部（１０４）は、レシートが画面に表示されている間、商品の販売者により提示される第２コードを撮影して認識する。変更部（１０５）は、第２コードが認識されると、レシートが表示部（１０３）により画面に表示される体裁を不可逆的に変更する。
2017195288.tif 000002
【特許請求の範囲】
【請求項１】
管理サーバにおいて電子決済可能な商品に対応付けられた第１コードを撮影して認識する第１認識部と、
前記第１コードが認識されると、前記管理サーバにアクセスし、前記商品の電子決済の手続を行う決済部と、
前記電子決済のレシートを画面に表示する表示部と、
前記レシートが前記画面に表示されている間、前記商品の販売者により提示される第２コードを撮影して認識する第２認識部と、
前記第２コードが認識されると、前記レシートが前記表示部により前記画面に表示される体裁を不可逆的に変更する変更部と、
を備えることを特徴とする端末装置。
【請求項２】
前記第２コードは、前記商品が提供される順序を示す受取番号に対応付けられ、
前記第２コードが認識されると、前記変更部は、前記レシートに前記商品の前記受取番号を含むように変更する
ことを特徴とする請求項１に記載の端末装置。
【請求項３】
前記レシートが表示されると、前記第２認識部は、前記端末装置のユーザに前記第２コードの撮影を促す
ことを特徴とする請求項１に記載の端末装置。
【請求項４】
前記第２コードが認識されると、前記変更部は、前記管理サーバに前記商品の受取が実行される旨を登録し、当該登録が完了すると前記レシートの体裁を変更する
ことを特徴とする請求項１に記載の端末装置。
【請求項５】
端末装置が実行する制御方法であって、
前記端末装置が、管理サーバにおいて電子決済可能な商品に対応付けられた第１コードを撮影して認識する第１認識工程と、
前記端末装置が、前記第１コードが認識されると、前記管理サーバにアクセスし、前記商品の電子決済の手続を行う決済工程と、
前記端末装置が、前記電子決済のレシートを画面に表示する表示工程と、
前記端末装置が、前記レシートが前記画面に表示されている間、前記商品の販売者により提示される第２コードを撮影して認識する第２認識工程と、
前記端末装置が、前記第２コードが認識されると、前記レシートが前記表示工程において前記画面に表示される体裁を不可逆的に変更する変更工程と、
を備えることを特徴とする制御方法。
【請求項６】
コンピュータを、
管理サーバにおいて電子決済可能な商品に対応付けられた第１コードを撮影して認識する第１認識部、
前記第１コードが認識されると、前記管理サーバにアクセスし、前記商品の電子決済の手続を行う決済部、
前記電子決済のレシートを画面に表示する表示部、
前記レシートが前記画面に表示されている間、前記商品の販売者により提示される第２コードを撮影して認識する第２認識部、
前記第２コードが認識されると、前記レシートが前記表示部により前記画面に表示される体裁を不可逆的に変更する変更部、
として機能させることを特徴とするプログラム。
【請求項７】
コンピュータを、
管理サーバにおいて電子決済可能な商品に対応付けられた第１コードを撮影して認識する第１認識部、
前記第１コードが認識されると、前記管理サーバにアクセスし、前記商品の電子決済の手続を行う決済部、
前記電子決済のレシートを画面に表示する表示部、
前記レシートが前記画面に表示されている間、前記商品の販売者により提示される第２コードを撮影して認識する第２認識部、
前記第２コードが認識されると、前記レシートが前記表示部により前記画面に表示される体裁を不可逆的に変更する変更部、
として機能させることを特徴とするプログラムを記録した非一時的なコンピュータ読取可能な情報記録媒体。
【発明の詳細な説明】
【技術分野】
【０００１】
本発明は、端末装置、制御方法、プログラム、及び、非一時的なコンピュータ読取可能な情報記録媒体に関し、特に、決済状況の確認に関するものである。
【背景技術】
【０００２】
近年では、現金で支払いを行う代わりに、電子データをやり取りすることで支払いを行う電子決済が普及しており、様々な利用形態が知られている。例えば、特許文献１には、買い手が、第三者が管理する決済サーバにて電子決済を行い、買い手へ商品の配達を行った配達員が、携帯端末で配達伝票に印刷されたコードを読み取ると、売り手に代金が支払われる技術が開示されている。
【先行技術文献】
【特許文献】
【０００３】
【特許文献１】特開２０１１−１４１８４９号公報
【発明の概要】
【発明が解決しようとする課題】
【０００４】
一方、祭りや展示会等のイベント会場に臨時に出店した店舗でも、商品の引き渡しはその場で行い、決済は電子決済で行いたい要望も多く、実際に専用機器を使用して導入されている事例もある。しかし、祭りや展示会では、設営に必要な機器は少なくしたいという要望もある。また、決済の完了を、出店している店舗の機器で確認するのは、システムの都合により待ち時間が生じることがあり、実店舗での売買で要求される支払いの即時性が満たされないという問題がある。これらの事情から店舗側では機器を用いずに電子決済を行うことが望ましいが、店舗側で機器を用いず買い手により決済完了を自己申告させるようにすると、不正が行われる可能性があり、取引の安全性に問題が生じてしまう。【０００５】
本発明は、上記のような課題を解決するもので、電子決済において、即時性を満たしつつ簡易で安全な決済を行うのに好適な端末装置、制御方法、プログラム、及び、非一時的なコンピュータ読取可能な情報記録媒体を提供することを目的とする。
【課題を解決するための手段】
【０００６】
本発明の第１の観点に係る端末装置は、
管理サーバにおいて電子決済可能な商品に対応付けられた第１コードを撮影して認識する第１認識部と、
前記第１コードが認識されると、前記管理サーバにアクセスし、前記商品の電子決済の手続を行う決済部と、
前記電子決済のレシートを画面に表示する表示部と、
前記レシートが前記画面に表示されている間、前記商品の販売者により提示される第２コードを撮影して認識する第２認識部と、
前記第２コードが認識されると、前記レシートが前記表示部により前記画面に表示される体裁を不可逆的に変更する変更部と、
を備えることを特徴とする。【０００７】
また、上記観点に係る端末装置において、
前記第２コードは、前記商品が提供される順序を示す受取番号に対応付けられ、
前記第２コードが認識されると、前記変更部は、前記レシートに前記商品の前記受取番号を含むように変更する
ことを特徴とする。【０００８】
また、上記観点に係る端末装置において、
前記レシートが表示されると、前記第２認識部は、前記端末装置のユーザに前記第２コードの撮影を促す
ことを特徴とする。【０００９】
また、上記観点に係る端末装置において、
前記第２コードが認識されると、前記変更部は、前記管理サーバに前記商品の受取が実行される旨を登録し、当該登録が完了すると前記レシートの体裁を変更する
ことを特徴とする。【００１０】
本発明の第２の観点に係る制御方法は、
端末装置が実行する制御方法であって、
前記端末装置が、管理サーバにおいて電子決済可能な商品に対応付けられた第１コードを撮影して認識する第１認識工程と、
前記端末装置が、前記第１コードが認識されると、前記管理サーバにアクセスし、前記商品の電子決済の手続を行う決済工程と、
前記端末装置が、前記電子決済のレシートを画面に表示する表示工程と、
前記端末装置が、前記レシートが前記画面に表示されている間、前記商品の販売者により提示される第２コードを撮影して認識する第２認識工程と、
前記端末装置が、前記第２コードが認識されると、前記レシートが前記表示工程において前記画面に表示される体裁を不可逆的に変更する変更工程と、
を備えることを特徴とする。【００１１】
本発明の第３の観点に係るプログラムは、
コンピュータを、
管理サーバにおいて電子決済可能な商品に対応付けられた第１コードを撮影して認識する第１認識部、
前記第１コードが認識されると、前記管理サーバにアクセスし、前記商品の電子決済の手続を行う決済部、
前記電子決済のレシートを画面に表示する表示部、
前記レシートが前記画面に表示されている間、前記商品の販売者により提示される第２コードを撮影して認識する第２認識部、
前記第２コードが認識されると、前記レシートが前記表示部により前記画面に表示される体裁を不可逆的に変更する変更部、
として機能させることを特徴とする。【００１２】
本発明の第４の観点に係る非一時的なコンピュータ読取可能な情報記録媒体は、
コンピュータを、
管理サーバにおいて電子決済可能な商品に対応付けられた第１コードを撮影して認識する第１認識部、
前記第１コードが認識されると、前記管理サーバにアクセスし、前記商品の電子決済の手続を行う決済部、
前記電子決済のレシートを画面に表示する表示部、
前記レシートが前記画面に表示されている間、前記商品の販売者により提示される第２コードを撮影して認識する第２認識部、
前記第２コードが認識されると、前記レシートが前記表示部により前記画面に表示される体裁を不可逆的に変更する変更部、
として機能させることを特徴とするプログラムを記録する。【００１３】
上記非一時的なコンピュータ読取可能な情報記録媒体は、コンピュータとは独立して配布・販売することができる。ここで、非一時的な（non-transitory）情報記録媒体とは、有形な（tangible）情報記録媒体をいう。非一時的な情報記録媒体は、例えば、コンパクトディスク、フレキシブルディスク、ハードディスク、光磁気ディスク、ディジタルビデオディスク、磁気テープ、半導体メモリ等である。また、一時的な（transitory）情報記録媒体とは、伝送媒体（伝搬信号）それ自体を示す。一時的な情報記録媒体は、例えば、電気信号、光信号、電磁波等である。なお、一時的な（temporary）記憶領域とは、データやプログラムを一時的に記憶するための領域であり、例えば、ＲＡＭ（Random Access Memory）等の揮発性メモリである。
【発明の効果】
【００１４】
本発明によれば、電子決済において、即時性を満たしつつ簡易で安全な決済を行うのに好適な端末装置、制御方法、プログラム、及び、非一時的なコンピュータ読取可能な情報記録媒体を提供することができる。
【図面の簡単な説明】
【００１５】
【図１】本発明の実施形態に係る端末装置と管理サーバとの関係を示す図である。
【図２】本発明の実施形態における商品の売買の様子を説明するための図である。
【図３】端末装置と管理サーバとの間で行われる通信の例を説明するための図である。
【図４】本発明の実施形態に係る端末装置が実現される典型的な情報処理装置の概要構成を示す図である。
【図５】実施形態に係る端末装置の概要構成を示す図である。
【図６】端末装置に表示されるレシートを説明するための図である。
【図７】第２コードが撮影される様子を説明するための図である。
【図８】商品受取情報テーブルを説明するための図である。
【図９】レシートの体裁が変更される様子を説明するための図である。
【図１０】レシートの体裁が変更される様子を説明するための図である。
【図１１】実施形態に係る端末装置が行う制御処理を説明するためのフローチャートである。
【発明を実施するための形態】
【００１６】
（１．全体構成）
本発明の実施形態に係る端末装置１００は、図１に示すように、インターネット３００に接続される。インターネット３００には、端末装置１００の他に、管理サーバ２００が接続されている。インターネット３００に接続する端末装置１００は、少なくとも１つ以上あり、複数の端末装置１００が接続可能である。
【００１７】
端末装置１００は、商品の購入を行うユーザが使用する端末である。
【００１８】
管理サーバ２００は、商品の電子決済を管理するサーバであり、端末装置１００からの要求に応じて電子決済処理を行う。
【００１９】
図２は、端末装置１００のユーザ４００と、実店舗５００（店舗Ｘ）の販売者７００との間で行われる商品の売買の様子を示す。ユーザ４００は、端末装置１００で、実店舗５００で販売されている商品の電子決済を行い、販売者７００から電子決済を行った商品を受け取る。実店舗５００では、販売する商品５０１〜５０３のそれぞれに対応付けられた第１コード５１１〜５１３が店頭に配置される。なお、第１コードは店頭に配置されることに限らず、パンフレットに掲載されていてもよいし、店頭以外の場所に配置されていてもよい。
【００２０】
図３に、端末装置１００と管理サーバ２００との間で行われる通信の例を示す。
【００２１】
端末装置１００のユーザ４００が、実店舗５００の店頭に配置された第１コード５１１〜５１３のうち、所望の商品５０１（商品Ａ）に対応付けられた第１コード５１１を端末装置１００で撮影すると、端末装置１００は、第１コードを認識する（１）。
【００２２】
端末装置１００は、第１コード５１１に基づいて管理サーバ２００にアクセスし、管理サーバ２００との間で、商品５０１について電子決済手続を行う（２）。
【００２３】
管理サーバ２００は、電子決済処理を行う（３）。
【００２４】
管理サーバ２００は、電子決済処理が完了すると、端末装置１００に、商品５０１の決済が完了したことを示すレシートを送信する（４）。
【００２５】
端末装置１００は、受信したレシートを端末装置１００の画面に表示する（５）。そして、ユーザ４００は、画面に表示されたレシートを実店舗５００の販売者７００に提示する。
【００２６】
レシートを提示された販売者７００は、ユーザ４００に第２コード５２０を提示する。ユーザ４００が、販売者７００が提示する第２コード５２０を、端末装置１００で撮影すると、端末装置１００は第２コード５２０を認識する（６）。
【００２７】
端末装置１００は、第２コード５２０を認識すると、管理サーバ２００に受取が実行される旨を登録する（７）。
【００２８】
管理サーバ２００は、端末装置１００に、登録の完了を通知する（８）。
【００２９】
端末装置１００は、管理サーバ２００から登録の完了の通知を受信すると、端末装置１００の画面に表示しているレシートの体裁を変更する（９）。
【００３０】
（２．情報処理装置の概要構成）
本発明の実施形態に係る端末装置１００が実現される典型的な情報処理装置６００の概要構成について説明する。
【００３１】
情報処理装置６００は、図４に示すように、ＣＰＵ（Central Processing Unit）６０１と、ＲＯＭ（Read Only Memory）６０２と、ＲＡＭ  ６０３と、記憶装置６０４と、ＮＩＣ（Network Interface Card）６０５と、画像処理部６０６と、音声処理部６０７と、ディスプレイ６０８と、スピーカ６０９と、コントローラ６１０と、カメラ６１１と、を備える。
【００３２】
ＣＰＵ  ６０１は、情報処理装置６００全体の動作を制御し、各構成要素と接続され、制御信号やデータをやりとりする。
【００３３】
ＲＯＭ  ６０２には、情報処理装置６００全体の動作制御に必要なオペレーティングシステムのプログラムや各種のデータが記録される。
【００３４】
ＲＡＭ  ６０３は、データやプログラムを一時的に記憶するためのもので、記憶装置６０４から読み出したプログラムやデータ、その他、通信に必要なデータ等が保持される。
【００３５】
記憶装置６０４は、ハードディスクやフラッシュメモリ等から構成され、情報処理装置６００で処理するデータを記憶する。また、記憶装置６０４は、ＣＤ（Compact Disc）等の非一時的なコンピュータ読取可能な情報記録媒体からデータを読み出すデバイス等を備えるように構成されてもよい。
【００３６】
ＮＩＣ  ６０５は、情報処理装置６００をインターネット等のコンピュータ通信網に接続するためのものであり、ＮＩＣ  ６０５を介して他の情報処理装置等とやりとりをする。
【００３７】
画像処理部６０６は、記憶装置６０４等から読み出されたデータをＣＰＵ  ６０１や画像処理部６０６が備える画像演算プロセッサによって加工処理し、画像処理部６０６が備えるフレームメモリに記録する。フレームメモリに記録された画像情報は、所定の同期タイミングでビデオ信号に変換され、ディスプレイ６０８に出力される。
【００３８】
音声処理部６０７は、記憶装置６０４等から読み出されたデータをアナログ音声信号に変換し、スピーカ６０９から出力させる。
【００３９】
コントローラ６１０は、ユーザからの指示入力を受け付ける。
【００４０】
カメラ６１１は、ＣＭＯＳ（Complementary Metal Oxide Semiconductor）やＣＣＤ（Charge Coupled Device）の撮像素子を含んで構成され、ユーザの操作に従い、現実空間や、ＱＲコード（登録商標）又はバーコードなどのコードを撮影する。
【００４１】
以下、上記情報処理装置６００において実現される端末装置１００について、図１乃至図１１を参照して説明する。情報処理装置６００に電源が投入されると、実施形態に係る端末装置１００として機能させるプログラムが実行され、実施形態に係る端末装置１００が実現される。
【００４２】
（３．実施形態に係る端末装置の概要構成）
実施形態に係る端末装置１００は、図５に示すように、第１認識部１０１と、決済部１０２と、表示部１０３と、第２認識部１０４と、変更部１０５と、から構成される。
【００４３】
本実施形態において、ＣＰＵ  ６０１及びカメラ６１１が協働して、第１認識部１０１及び第２認識部１０４として機能する。また、ＣＰＵ  ６０１及びＮＩＣ  ６０５が協働して、決済部１０２及び変更部１０５として機能する。また、ＣＰＵ  ６０１、ＮＩＣ  ６０５及びディスプレイ６０８が協働して、表示部１０３として機能する。
【００４４】
以下、端末装置１００では、商品の決済状況の確認を行うためのアプリがインストールされており、このアプリが、表示部１０３、第２認識部１０４及び変更部１０５の機能を果たすものとする。
【００４５】
第１認識部１０１は、管理サーバ２００において電子決済可能な商品に対応付けられた第１コードを撮影して認識する。
【００４６】
第１コードとは、管理サーバ２００において電子決済可能な商品に対応付けられた１次元又は２次元コードである。例えば、第１コードは、管理サーバ２００が管理する、商品の決済ページのＵＲＬ（Uniform Resource Locator）を示すＱＲコード（登録商標）である。
【００４７】
例えば、ユーザ４００が、端末装置１００のカメラ６１１を起動し、実店舗５００の店頭に配置された第１コード５１１を撮影すると、第１認識部１０１は、第１コード５１１が示すＵＲＬを認識する。第１コード５１１は、商品５０１の決済ページのＵＲＬを示す。
【００４８】
決済部１０２は、第１コードが認識されると、管理サーバ２００にアクセスし、商品の電子決済の手続を行う。
【００４９】
例えば、決済部１０２は、第１コード５１１が認識されると、端末装置１００が有するブラウザを起動して、第１コード５１１が示すＵＲＬにアクセスし、管理サーバ２００との間で商品５０１の電子決済の手続を行う。
【００５０】
表示部１０３は、電子決済のレシートを画面に表示する。
【００５１】
例えば、管理サーバ２００から商品５０１の決済が終了したことを示すレシートを受信すると、表示部１０３はアプリ８００を起動して画面に表示し、図６に示すように、アプリ８００内にレシート８０１を表示する。
【００５２】
第２認識部１０４は、レシートが画面に表示されている間、商品の販売者７００により提示される第２コードを撮影して認識する。
【００５３】
第２コードとは、販売者７００が有する１次元又は２次元コードであって、決済が確実に行われたか否かを確認するためのコードである。例えば、第２コードは、管理サーバ２００が管理する、商品の受取管理ページのＵＲＬを示すＱＲコード（登録商標）である。
【００５４】
ここで、レシートが表示されると、第２認識部１０４は、端末装置１００のユーザ４００に第２コード５２０の撮影を促す。
【００５５】
例えば、図６のようにアプリ８００内にレシート８０１が表示されると、第２認識部１０４は、アプリ８００内に、第２コードの撮影を求めるメッセージ８０２を表示させる。
【００５６】
そして、ユーザ４００によりボタン８０３が選択されると、カメラ６１１が起動され、図７に示すように、レシート８０１が表示されているアプリ内に第２コードを撮影するためのウィンドウ８０４が表示される。
【００５７】
ユーザ４００は、販売者７００に、レシート８０１を提示して、第２コード５２０の提示を要求する。販売者７００は、レシート８０１を確認し、要求に応じて第２コード５２０をユーザ４００に提示する。そして、ユーザ４００が、第２コード５２０をウィンドウ８０４内に写し出すと、第２認識部１０４は、第２コード５２０に対応付けられたＵＲＬを認識する。
【００５８】
変更部１０５は、第２コードが認識されると、レシートが表示部１０３により画面に表示される体裁を不可逆的に変更する。
【００５９】
画面に表示される体裁とは、レシートが画面に表示される際の外観である。
【００６０】
不可逆的に変更とは、第２コードの認識前のレシートの体裁に戻すことができないよう変更することである。例えば、レシートに重ねて新たなマークを表示したり、レシートに情報を追加したりすることにより、レシートの体裁を変更し、変更後に新たなマークや追加情報を除去できないようにすることをいう。
【００６１】
ここで、第２コードが認識されると、変更部１０５は、管理サーバ２００に商品の受取が実行される旨を登録し、当該登録が完了するとレシートの体裁を変更する。
【００６２】
例えば、管理サーバ２００は、図８に示す商品受取情報テーブル２００ａを有する。商品受取情報テーブル２００ａは、ユーザＩＤ  ２００ａ１と、当該ユーザが行った電子決済を特定するための電子決済ＩＤ  ２００ａ２と、当該電子決済を行った商品の受取状況２００ａ３と、が対応付けて登録されている。受取状況２００ａ３が“受取済”の場合は、商品の受取が終了していることを示し、“未受取”の場合は、商品の受取が終了していないことを示す。管理サーバ２００において電子決済処理が終了すると、電子決済を行ったユーザのユーザＩＤ及び電子決済ＩＤが、商品受取情報テーブル２００ａに登録され、受取状況２００ａ３が“未受取”に設定される。
【００６３】
例えば、図８の商品受取情報テーブル２００ａの１行目は、ユーザＩＤ  ２００ａ１が“ａ１”のユーザは、電子決済ＩＤ  ２００ａ２“１２３４５６”の電子決済を完了しており、電子決済を行った商品の受取を未だしていないことを示す。
【００６４】
例えば、第２コード５２０が認識されると、変更部１０５は、管理サーバ２００の受取管理ページにアクセスする。そして、管理サーバ２００が端末装置１００による受取管理ページへのアクセスを検知すると、図８の商品受取情報テーブル２００ａに、検知されたアクセスを行った端末装置１００のユーザＩＤ  ２００ａ１に対応付けられた電子決済ＩＤが登録されているか否かを調べ、登録されていれば、受取状況２００ａ３の値を調べる。電子決済ＩＤ  ２００ａ２が登録されており、受取状況２００ａ３が“未受取”の場合、管理サーバ２００は、受取状況２００ａ３を“受取済”に変更し、アクセスを行った端末装置１００に、受取が実行される旨の登録が完了したことを通知する。一方、電子決済ＩＤ  ２００ａ２が登録されていない場合や、受取状況２００ａ３が“受取済”の場合は、決済記録が無いことや、既に商品が受け取られていることを通知するメッセージを送信する。
【００６５】
変更部１０５は、登録が完了したことを示す通知を受信すると、図９に示すように、商品を受領したことを示すマーク８０５をレシート８０１に重ねて表示する。そして、変更部１０５は、マーク８０５が含まれるレシート８０１の画像を保存する。この際、一度マーク８０５が表示されてから以降、レシート８０１からマーク８０５を削除してマーク８０５が含まれないレシート８０１を表示できないようにするために、保存形式をＪＰＥＧ（Joint Photographic Experts Group）、ＰＮＧ（Portable Network Graphics）等に設定する。例えば、レイヤー情報を保存できるＰＳＤ（Photoshop Data）形式等では、マーク８０５を削除することが可能になるため、このような保存形式は選択しない。
【００６６】
販売者７００が、マーク８０５が含まれていないレシート８０１を視認した後、第２コードの認識によりマーク８０５を含んだレシート８０１に変更されたことを視認することにより、ユーザ４００による決済が正常に行われたこと、及び、商品の受取が過去にされていないことを確認することができる。
【００６７】
本実施形態によれば、販売者はレシートが画面に表示される体裁が、第２コードの認識によって変化したことを見ることにより、商品の決済が正常に行われたことを確認できるので、現金によらない決済を実現することができる。また、決済及び決済が正常に行われたことの確認処理は、ユーザの端末装置で行うことができるので、販売者側では、読み取り装置等の機器を用意する必要がなく、販売者にとって負担の少ない決済の仕組みを提供できる。さらに、受取の際にレシートの体裁を不可逆的に変更することにより、レシートを再利用して二重に商品を受け取ることを防止できる。
【００６８】
なお、第２コードは、商品が提供される順序を示す受取番号に対応付けられ、第２コードが認識されると、変更部１０５は、レシートに商品の受取番号を含むように変更するようにしてもよい。
【００６９】
例えば、販売者が、受取番号が対応付けられた第２コードが印刷された番号札を、実店舗で扱う商品の在庫分、予め用意しておく。番号札に印刷される第２コードには、その一部として受取番号がエンコードされているのが典型的である。したがって、各番号札に印刷される第２コードは互いに異なる。販売者は、レシートを提示したユーザ４００に予め用意した番号札を渡し、番号札を受け取ったユーザ４００が、端末装置１００で第２コードを認識すると、第２コードにエンコードされた受取番号が取得される。例えば、番号札に印刷された第２コードを認識すると、図１０に示すように、レシート８０１に第２コードに対応付けられた受取番号８０６が表示され、この受取番号８０６を含んだレシート８０１が端末装置１００に保存される。ユーザ４００は、受取番号８０６に従い商品の受取を行う。
【００７０】
例えば、出店の前日に、在庫数に合わせて各番号札を用意することで、販売者は、番号札を使った商品の引き渡しにおいて、状況を管理するためのコンピュータ機器を用意する必要がなく、販売者にとって負担の軽い、番号札による商品の引き渡しの仕組みを提供することができる。
【００７１】
なお、本実施形態において、表示部１０３、第２認識部１０４及び変更部１０５はアプリにより実現されるとしたがこれに限らず、例えば、第１認識部１０１及び決済部１０２も同一のアプリにより実現されてもよい。
【００７２】
（４．実施形態に係る端末装置の動作）
本実施形態に係る端末装置１００の動作について説明する。端末装置１００は、例えば、電源が投入されると、図１１に示す制御処理を開始する。
【００７３】
第１認識部１０１は、管理サーバ２００において電子決済可能な商品に対応付けられた第１コードを撮影して認識したか否かを判断する（ステップＳ１０１）。第１認識部１０１が第１コードを認識したと判断すると（ステップＳ１０１；Ｙｅｓ）、決済部１０２は、管理サーバ２００にアクセスし、商品の電子決済の手続を行う（ステップＳ１０２）。一方、第１認識部１０１が第１コードを認識していないと判断すると（ステップＳ１０１；Ｎｏ）、そのまま待機する。
【００７４】
例えば、第１認識部１０１は、ユーザ４００の指示に従い、実店舗５００の店頭に配置された第１コード５１１を撮影し、第１コード５１１が示すＵＲＬを認識すると、決済部１０２は、第１コード５１１が示すＵＲＬにアクセスし、管理サーバ２００との間で商品５０１の電子決済の手続を行う。ユーザ４００により第１コードの撮影が行われない場合は、そのまま待機する。
【００７５】
表示部１０３は、管理サーバ２００から電子決済のレシートを受信したか否かを判断する（ステップＳ１０３）。表示部１０３は、レシートを受信したと判断すると（ステップＳ１０３；Ｙｅｓ）、受信したレシートを画面に表示する（ステップＳ１０４）。一方、レシートを受信していないと判断すると（ステップＳ１０３；Ｎｏ）、そのまま待機する。
【００７６】
例えば、管理サーバ２００から商品５０１の決済が終了したことを示すレシートを受信すると、表示部１０３はアプリ８００を起動して画面に表示し、図６に示すように、アプリ８００内にレシート８０１を表示する。一方、管理サーバ２００からレシートを受信していないと判断すると、そのまま待機する。
【００７７】
第２認識部１０４は、レシートが表示されると、端末装置１００のユーザ４００に第２コードの撮影を促す（ステップＳ１０５）。
【００７８】
例えば、図６のようにアプリ８００内にレシート８０１が表示されると、第２認識部１０４は、アプリ８００内に、第２コードの撮影を求めるメッセージ８０２を表示させる。
【００７９】
第２認識部１０４は、レシートが画面に表示されている間、商品の販売者７００により提示される第２コードを撮影して認識したか否かを判断する（ステップＳ１０６）。第２認識部１０４が、第２コードを認識したと判断すると（ステップＳ１０６；Ｙｅｓ）、変更部１０５は、管理サーバ２００に商品の受取が実行される旨を登録する（ステップＳ１０７）。一方、第２認識部１０４が、第２コードを認識していないと判断すると（ステップＳ１０６；Ｎｏ）、そのまま待機する。
【００８０】
例えば、第２コード５２０が認識されると、変更部１０５は、管理サーバ２００の受取管理ページにアクセスすることにより、管理サーバ２００に商品の受取が実行される旨を登録する。一方、第２コード５２０が認識されない場合は、そのまま待機する。
【００８１】
変更部１０５は、登録が完了したことを示す通知を受信したか否かを判断する（ステップＳ１０８）。変更部１０５は、登録が完了したことを示す通知を受信したと判断すると（ステップＳ１０８；Ｙｅｓ）、レシートの体裁を不可逆的に変更する（ステップＳ１０９）。一方、変更部１０５は、登録が完了したことを示す通知を受信していないと判断すると（ステップＳ１０８；Ｎｏ）、そのまま待機する。
【００８２】
例えば、変更部１０５は、登録が完了したことを示す通知を受信すると、図９に示すように、商品を受領したことを示すマーク８０５をレシート８０１に重ねて表示し、マーク８０５を含むレシート８０１の画像を、ＪＰＥＧ形式で保存する。一方、変更部１０５は、登録が完了したことを示す通知を受信していないと判断すると、そのまま待機する。
【００８３】
なお、本実施形態の制御処理は図１１に限らず、例えば、ステップＳ１０８において、管理サーバ２００から、決済記録が無いことや、既に商品が受け取られていることを通知するメッセージを受信したか否かを判断する処理が含まれていてもよい。そして、それらのメッセージを受信した場合は、受信したメッセージを画面に表示するようにしてもよい。
【００８４】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００８５】
１００  端末装置
１０１  第１認識部
１０２  決済部
１０３  表示部
１０４  第２認識部
１０５  変更部
２００  管理サーバ
３００  インターネット
４００  ユーザ
５００  実店舗
５０１、５０２、５０３  商品
５１１、５１２、５１３  第１コード
５２０  第２コード
６００  情報処理装置
６０１  ＣＰＵ
６０２  ＲＯＭ
６０３  ＲＡＭ
６０４  記憶装置
６０５  ＮＩＣ
６０６  画像処理部
６０７  音声処理部
６０８  ディスプレイ
６０９  スピーカ
６１０  コントローラ
６１１  カメラ
７００  販売者
８００  アプリ
８０１  レシート
８０２  メッセージ
８０３  ボタン
８０４  ウィンドウ
８０５  マーク
８０６  受取番号
【図１】
2017195288.tif 000003
【図２】
2017195288.tif 000004
【図３】
2017195288.tif 000005
【図４】
2017195288.tif 000006
【図５】
2017195288.tif 000007
【図６】
2017195288.tif 000008
【図７】
2017195288.tif 000009
【図８】
2017195288.tif 000010
【図９】
2017195288.tif 000011
【図１０】
2017195288.tif 000012
【図１１】
2017195288.tif 000013
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
管理サーバにおいて電子決済可能な商品に対応付けられた第１コードを撮影して認識する第１認識部と、
前記第１コードが認識されると、前記管理サーバにアクセスし、前記商品の電子決済の手続を行う決済部と、
前記電子決済のレシートを画面に表示する表示部と、
前記レシートが前記画面に表示された後、前記商品の販売者により提示される第２コードを撮影して認識する第２認識部と、
前記第２コードが認識されると、前記レシートが前記表示部により前記画面に表示される体裁を変更する変更部と、
を備えることを特徴とする端末装置。
【請求項２】
前記第２コードは、前記商品が提供される順序を示す受取番号に対応付けられ、
前記第２コードが認識されると、前記変更部は、前記レシートに前記商品の前記受取番号を含むように変更する
ことを特徴とする請求項１に記載の端末装置。
【請求項３】
前記レシートが表示されると、前記第２認識部は、前記端末装置のユーザに前記第２コードの撮影を促す
ことを特徴とする請求項１に記載の端末装置。
【請求項４】
前記第２コードが認識されると、前記変更部は、前記管理サーバに前記商品の受取が実行される旨を登録し、当該登録が完了すると前記レシートの体裁を変更する
ことを特徴とする請求項１に記載の端末装置。
【請求項５】
端末装置が実行する制御方法であって、
前記端末装置が、管理サーバにおいて電子決済可能な商品に対応付けられた第１コードを撮影して認識する第１認識工程と、
前記端末装置が、前記第１コードが認識されると、前記管理サーバにアクセスし、前記商品の電子決済の手続を行う決済工程と、
前記端末装置が、前記電子決済のレシートを画面に表示する表示工程と、
前記端末装置が、前記レシートが前記画面に表示された後、前記商品の販売者により提示される第２コードを撮影して認識する第２認識工程と、
前記端末装置が、前記第２コードが認識されると、前記レシートが前記表示工程において前記画面に表示される体裁を変更する変更工程と、
を備えることを特徴とする制御方法。
【請求項６】
コンピュータを、
管理サーバにおいて電子決済可能な商品に対応付けられた第１コードを撮影して認識する第１認識部、
前記第１コードが認識されると、前記管理サーバにアクセスし、前記商品の電子決済の手続を行う決済部、
前記電子決済のレシートを画面に表示する表示部、
前記レシートが前記画面に表示された後、前記商品の販売者により提示される第２コードを撮影して認識する第２認識部、
前記第２コードが認識されると、前記レシートが前記表示部により前記画面に表示される体裁を変更する変更部、
として機能させることを特徴とするプログラム。
【請求項７】
コンピュータを、
管理サーバにおいて電子決済可能な商品に対応付けられた第１コードを撮影して認識する第１認識部、
前記第１コードが認識されると、前記管理サーバにアクセスし、前記商品の電子決済の手続を行う決済部、
前記電子決済のレシートを画面に表示する表示部、
前記レシートが前記画面に表示された後、前記商品の販売者により提示される第２コードを撮影して認識する第２認識部、
前記第２コードが認識されると、前記レシートが前記表示部により前記画面に表示される体裁を変更する変更部、
として機能させることを特徴とするプログラムを記録した非一時的なコンピュータ読取可能な情報記録媒体。
【国際調査報告】
2017195288.tif 000014
2017195288.tif 000015
2017195288.tif 000016
2017195288.tif 000017